【手続補正書】
【提出日】平成30年8月31日(2018.8.31)
【手続補正１】
【補正対象書類名】特許請求の範囲
【補正対象項目名】請求項１
【補正方法】変更
【補正の内容】
【請求項１】
吊り部材を介して躯体天井部に支持される複数のチャンネル状野縁受けに、上方に開口した両側面部の上端内方に逆Ｕ字状溝を有する複数のチャンネル状野縁を、野縁受けに取り付けられる野縁受け取付け部と、その垂下部から野縁受けに背反するよう折曲された両端部を立上り折曲させて、前記逆Ｕ字状溝内に挿入して野縁を支持受けする野縁支持受け部とを有する１組の野縁固定金具を介して支持する天井下地において、
前記野縁支持受け部による野縁の支持受け構造によって取り付けられた野縁の開口側周辺面域を補強する耐震補強金具であって、
該耐震補強金具は、前記野縁支持受け部を含む前記野縁の開口側を被嵌するよう、上面片とその両端に折曲された側面片とにより下向きコ字状に形成された野縁被嵌部と、前記一方の側面片を野縁受けの下面域となる野縁の側面部にオーバーラップするよう延出せしめた延出固定片とを一体的に備え、
前記野縁被嵌部をそれぞれ前記野縁に被嵌して、前記野縁受け取付け部に互いにスライド当接することで、前記延出固定片を前記他方の側面片に重合せしめた状態で、組みとなる耐震補強金具同士を対向配設し、
当該重合する延出固定片と側面片とを、野縁の側面部にビス固定することを特徴とする野縁の耐震補強金具。
【手続補正２】
【補正対象書類名】明細書
【補正対象項目名】０００７
【補正方法】変更
【補正の内容】
【０００７】
本発明は、上記の如き問題点を一掃すべく創案されたものであって、天井下地における野縁受けに固定された野縁固定金具を介して、野縁を、その逆Ｕ字状溝内に挿入される野縁支持受け部によって支持受けする構造でありながら、一方の野縁支持受け部側から他方の野縁支持受け部側に至る周辺域における野縁自体の剛性強度を高めることができ、野縁支持受け部による支持受け構造の補強だけでなく、野縁自体の補強をも行い得て、野縁受けと密着する野縁の逆Ｕ字状溝との間に、地震等の揺れにより、前後左右等に傾動する振動負荷を受けた際に、野縁受け等他の部材よりも薄板にて形成される野縁自体のねじれや変形を防止して、両者間の密着状態を好適に保持し、野縁支持受け部が野縁の逆Ｕ字状溝から離間する下側方向への振動を規制することは勿論、野縁と野縁受けとの間のガタツキや野縁固定金具などの位置ズレを防止することのできる野縁の耐震補強金具を提供することを目的とする。
【手続補正３】
【補正対象書類名】明細書
【補正対象項目名】０００８
【補正方法】変更
【補正の内容】
【０００８】
上記課題を解決するために本発明の野縁の耐震補強金具は、吊り部材を介して躯体天井部に支持される複数のチャンネル状野縁受けに、上方に開口した両側面部の上端内方に逆Ｕ字状溝を有する複数のチャンネル状野縁を、野縁受けに取り付けられる野縁受け取付け部と、その垂下部から野縁受けに背反するよう折曲された両端部を立上り折曲させて、前記逆Ｕ字状溝内に挿入して野縁を支持受けする野縁支持受け部とを有する１組の野縁固定金具を介して支持する天井下地において、前記野縁支持受け部による野縁の支持受け構造によって取り付けられた野縁の開口側周辺面域を補強する耐震補強金具であって、該耐震補強金具は、前記前記野縁支持受け部を含む野縁の開口側を被嵌するよう、上面片とその両端に折曲された側面片とにより下向きコ字状に形成された野縁被嵌部と、前記一方の側面片を野縁受けの下面域となる野縁の側面部にオーバーラップするよう延出せしめた延出固定片とを一体的に備え、前記野縁被嵌部をそれぞれ前記野縁に被嵌して、前記野縁受け取付け部に互いにスライド当接することで、前記延出固定片を前記他方の側面片に重合せしめた状態で、組みとなる耐震補強金具同士を対向配設し、当該重合する延出固定片と側面片とを、野縁の側面部にビス固定することを特徴とするものである。
【手続補正４】
【補正対象書類名】明細書
【補正対象項目名】０００９
【補正方法】変更
【補正の内容】
【０００９】
本発明は、上記のように構成したことにより、天井下地における野縁受けに固定された野縁固定金具を介して、野縁を、その逆Ｕ字状溝内に挿入される野縁支持受け部によって支持受けする構造でありながら、組みとして配設される耐震補強金具のそれぞれの野縁被嵌部を、野縁の野縁受け取付け部にスライド当接させ、延出固定片を野縁受けの下面域となる野縁の側面部にオーバーラップして他方の側面片と重合させた状態で、野縁受け取付け部を挟んで野縁の側面部に対角線上に確りとビス固定して一体化できるので、対向する野縁被嵌部によって両野縁受け取付け部を挟持した状態で、一方の野縁支持受け部側から他方の野縁支持受け部側に至る野縁の開口側周辺域全体が耐震補強され、野縁自体の剛性強度を高めることができ、地震等の揺れにより、野縁受けと密着する野縁の逆Ｕ字状溝との間に、前後左右等に傾動する上下方向やねじれ方向に振動負荷を受けた際に、野縁支持受け部の立上り上端部が野縁の逆Ｕ字状溝に集中して上動圧接し或いは離間するような振動負荷を、野縁被嵌部で受け止めて分散することができ、野縁の開口側の拡開や逆Ｕ字状溝の変形を防止することができるだけでなく、延出固定片と野縁側面部との共同剛性力によって野縁受けの下面部を確りと受け止めて規制し、野縁受け等他の部材よりも薄板にて形成される野縁自体のねじれや変形を防止して、両者間の密着状態を好適に保持し、野縁と野縁受けとの間のガタツキの発生や野縁固定金具などの位置ズレを防止することができる。その結果、野縁支持受け部による支持受け構造の補強と、野縁自体に対する補強とによる耐震強度を向上させる補強構造とが容易に構築できると共に、野縁支持受け部の両側上端が逆Ｕ字状溝へ密着した良好な状態を恒久的に保持することができ、天井下地全体の耐震性を向上させて構造的品質特性の維持に寄与することができる。しかも、重合する延出固定片と側面片とが重合する面域を、１組の野縁固定金具が対向配設された間隔幅が異なっていても、その幅変化に応じて、野縁被嵌部を野縁受け取付け部にスライド当接させてビス固定することができる幅調整域として機能させることができる。
【手続補正５】
【補正対象書類名】明細書
【補正対象項目名】００１７
【補正方法】変更
【補正の内容】
【００１７】
７は本発明の実施態様に係る野縁５の耐震補強金具であって、これら図に示すように、耐震補強金具７は、板厚が約１．２〜１．６ｍｍの厚板材でプレス成型され、野縁５の開口側から野縁支持受け部５１２を被嵌するよう、上面片７１１とその両端に折曲された側面片７１２、７１２とにより下向きコ字状に形成された野縁被嵌部７１と、一方の側面片７１２を野縁受け３の下面域を通過して、他方に配設された野縁支持受け部５１２の野縁５の側面部にオーバーラップするよう及ばせて、延出せしめた延出固定片７２とを一体的に備えて構成される。
【手続補正６】
【補正対象書類名】明細書
【補正対象項目名】００１８
【補正方法】変更
【補正の内容】
【００１８】
上面片７１１は、野縁支持受け部５１２を覆う充分な広幅（野縁支持受け部５１２の折曲幅よりも充分な広幅）をもつて形成され、延出固定片７２を有しない側の側面片７１２は、上面片７１１を野縁受け取付け部５１１にスライド当接させた際に、野縁受け３の下面部に延出する係合域（掛合片）を有する長さ幅で、高さ幅が野縁５の１９形（１９ｍｍ）と略同一の幅をもって形成される。この側面片７１２には、野縁５の長手方向（スライド方向）に細幅の長孔７１ａが打ち抜き形成されている。また、上面片７１１には、野縁固定金具５１の野縁受け取付け部５１１の垂下部に、縦方向に形成された補強リブを嵌装する円弧状の凹溝部７１ｂ、７１ｂが形成されており、上面片７１１が補強リブをよけて野縁受け取付け部５１１に当接できるようになっている。なお、本実施例で示す耐震補強金具７は、ダブル野縁５用に供される野縁固定金具５１に応じて、凹溝部７１ｂを配置形成したが、シングル野縁５に供される野縁固定金具５１には主に中央に１本の補強リブが形成されているので、当該対応位置に凹溝部７１ｂを配置形成すればよい。また、長孔７１ａが形成された側面片７１２に延出形成された係合域の長さは任意であり、長孔７１ａは係合域を含む何れの部位に形成させても良い。
【手続補正７】
【補正対象書類名】明細書
【補正対象項目名】００１９
【補正方法】変更
【補正の内容】
【００１９】
延出固定片７２は、他方に配設された野縁支持受け部５１２の幅よりも長く、かつ、他方に配設された耐震補強金具７の側面片７１２を覆う長さ幅をもって、野縁５の側面部との間にその板厚分の隙間を形成するように僅かに離間させ、先端部を外側に広げて上面視く字状に立上り折曲されている。また、延出固定片７２には、野縁支持受け部５１２の下面域でその幅よりも僅かに外側となる長孔７１ａと対向する位置にビス孔７２ａが穿設されている。野縁受け取付け部５１１にスライド当接された状態でセットされた他方の耐震補強金具７に対して、一方となる耐震補強金具７を野縁受け取付け部５１１にスライド当接させてセットする際に、それぞれの延出固定片７２、７２が、野縁５の側面部との間の隙間を介して延出固定片７２を有しない側の各側面片７１２、７１２に、野縁５の対向する側面部に対して対角重合した対称状態でセットできるようになっている。
【手続補正８】
【補正対象書類名】明細書
【補正対象項目名】００２１
【補正方法】変更
【補正の内容】
【００２１】
次に、本発明の実施態様に係る耐震補強金具７の取り付け手順について、図４（Ａ）および（Ｂ）に基づいて説明する。これら図に示すように、耐震補強金具７を取り付けするには、２個を組として対向配置させて設けるようにする。先ず、組みとして取着された野縁固定金具５１の両側から、互いに延出固定片７２を野縁受け取付け部５１１に向けて、それぞれ野縁被嵌部７１を、野縁５の開口側から逆Ｕ字状溝５ａに跨がせて被嵌し、野縁受け取付け部５１１にスライド当接させてセットする。この時、延出固定片７２は、その先端部が外側に広げて折曲され、かつ、野縁５の側面部と僅かに離間する隙間が形成されているので、対向する延出固定片７２を有しない側の側面片７１２に均一に対向面接した重合状態でスムーズなセットが行えるようになっている。つまり、この重合状態とすることで、延出固定片７２に穿設されたビス孔７２ａと、側面片７１２に打ち抜き形成された長孔７１ａとの中心孔が対向一致し、両者が均一に対向面接した重合状態で精度良くビス固定することができる。
【手続補正９】
【補正対象書類名】明細書
【補正対象項目名】００２５
【補正方法】変更
【補正の内容】
【００２５】
叙述の如く構成された本発明の実施の形態において、いま、既設や新設施工が行われた躯体天井部１に対して、野縁支持受け部５１２による支持受け構造により取り付けられた野縁５を耐震補強金具７によって耐震補強するのであるが、本発明にかかる耐震補強金具７は、野縁支持受け部５１２を含む野縁５の開口側を被嵌するよう、上面片７１１とその両端に折曲された側面片７１２とにより下向きコ字状に形成された野縁被嵌部７１と、一方の側面片７１２を野縁受け３の下面域となる野縁５の側面部にオーバーラップするよう延出せしめた延出固定片７２とを一体的に備え、野縁被嵌部７１をそれぞれ野縁５に被嵌して、野縁受け取付け部５１１に互いにスライド当接することで、延出固定片７２を他方の側面片７１２に重合せしめた状態で、組みとなる耐震補強金具７、７同士を対向配設し、当該重合する延出固定片７２と側面片７１２とを、野縁５の側面部にビス固定することで、野縁５の開口側周辺面域を補強するよう構成されている。
【手続補正１０】
【補正対象書類名】明細書
【補正対象項目名】００２６
【補正方法】変更
【補正の内容】
【００２６】
この様に構成すると、天井下地における野縁受け３に固定された野縁固定金具５１を介して、野縁５を、その逆Ｕ字状溝５ａ内に挿入される野縁支持受け部５１２によって支持受けする構造ものでありながら、組みとして配設される耐震補強金具７、７のそれぞれの野縁被嵌部７１、７１を、野縁５の野縁受け取付け部５１１、５１１にスライド当接させ、延出固定片７２、７２を野縁受け３の下面域となる野縁５の側面部にオーバーラップして他方の側面片と重合させた状態で、野縁受け取付け部５１１、５１１を挟んで野縁５の側面部に対角線上に確りとビス固定して一体化できるので、対向する野縁被嵌部７１によって両野縁受け取付け部５１１、５１１を挟持した状態で、一方の野縁支持受け部５１２側から他方の野縁支持受け部５１２側に至る野縁５の開口側周辺域全体が耐震補強され、野縁５自体の剛性強度を高めることができ、地震等の揺れにより、野縁受け３と密着する野縁５の逆Ｕ字状溝５ａとの間に、前後左右等に傾動する上下方向やねじれ方向に振動負荷を受けた際に、野縁支持受け部５１２の立上り上端部が野縁５の逆Ｕ字状溝５ａに集中して上動圧接し或いは離間するような振動負荷を、野縁被嵌部７１で受け止めて分散することができ、野縁５の開口側の拡開や逆Ｕ字状溝５ａの変形を防止することができるだけでなく、延出固定片７２と野縁５の側面部との共同剛性力によって野縁受け３の下面部を確りと受け止めて規制し、野縁受け３等他の部材よりも薄板にて形成される野縁５自体のねじれや変形を防止して、両者間の密着状態を好適に保持し、野縁５と野縁受け３との間のガタツキの発生や野縁固定金具５１などの位置ズレを防止することができる。
【手続補正１１】
【補正対象書類名】明細書
【補正対象項目名】００２８
【補正方法】変更
【補正の内容】
【００２８】
また、延出固定片７２は、野縁受け３の下面域を通過して、前記他方に配設された野縁支持受け部５１２の野縁５の側面部に及ばせて延出されているので、両野縁支持受け部５１２、５１２間を挟んで対角対向する位置で、その離間長さを長尺なものとして軸芯が大きく離間した位置に設定されており、ビス同士の対角対向長さを短く軸芯を近接設定したものに比し、ビス固定カ所が２カ所であっても、野縁５のねじれ等の湾曲負荷に対して、延出固定片７２側の側面片７１２などにビス固定しなくとも充分な固定強度が得られ、当該２カ所以外へのビス固定が不要となり使用するビス個数の削減と取り付け作業時間の短縮を図ることができる。
【手続補正１２】
【補正対象書類名】明細書
【補正対象項目名】００２９
【補正方法】変更
【補正の内容】
【００２９】
また、延出固定片７２を有しない側の側面片７１２は、野縁受け３の下面域に延出して、当該下面域を支持受け係合するする係合域を有し形成されているので、野縁受け３の下面部によるとなる野縁５の側面部を、延出固定片７２と重合する側面片７１２に加え、長孔７１ａを有する側の側面片７１２、７１２の係合域も加わった、これらが有機的に一体となった共同剛性力によって野縁受け３の下面部を確りと受け止めて規制し、野縁固定金具５１を介して取り付けられた野縁５の開口側周辺域全体が耐震補強され、野縁５自体の剛性強度を高めることができるばかりか、延出固定片７２と、重合する側面片７１２の係合域との長さを相対的に変更して、例えば側面片７１２の係合域を延出固定片７２よりも長く設定し、野縁受け３の下面部に当該係合域と重合させるよう設定するなど、野縁５の側面部の面域の任意カ所に重合位置を可変設定することによっても、野縁受け３の下面部となる野縁５の側面部にオーバラップして剛性強度を高めることができる。
【手続補正１３】
【補正対象書類名】明細書
【補正対象項目名】００３０
【補正方法】変更
【補正の内容】
【００３０】
また、延出固定片７２、７２は、野縁５の側面部との間に隙間を形成するように外方に折曲され、他方の側面片７１２、７１２に重合するよう構成されているので、当該重合する延出固定片７２と側面片７１２とが野縁受け３を挟んで対角対向して配置された状態でビス固定することができ、野縁固定金具５１の両側となる野縁５の逆Ｕ字状溝５ａの上面とその両側面部、および、野縁受け３の下面部となる野縁５の側面部を、両野縁受け取付け部５１１を挟持した状態で強固に一体化固定され、野縁固定金具５１を介して取り付けられた野縁５の開口側周辺域全体が耐震補強され、野縁５自体の剛性強度を高めることができ、一方の野縁被嵌部７１に対する上下方向やねじれ方向の傾動を伴う振動負荷を、延出固定片７２を介して対角対向して一体化された他方の野縁被嵌部７１が分担して受け止めることができ、薄板にて形成される野縁５自体のねじれや変形や、耐震補強金具７、７同士のガタツキ発生を確実に防止することができる。
【手続補正１４】
【補正対象書類名】明細書
【補正対象項目名】００３１
【補正方法】変更
【補正の内容】
【００３１】
また、延出固定片７２にビス孔７２ａを穿設し、他方の側面片７１２にスライド方向に細幅の長孔７１ａがビス孔７２ａの対向位置に打ち抜き形成すると共に、重合する延出固定片７２と側面片７１２は、１組の野縁固定金具５１が対向する間隔幅の変化に応じてビス固定位置を可変調整可能に構成されている。
したがって、指圧変形可能な薄板の野縁固定金具を片面に配設した既存の天井下地を耐震補強する際に、組みとして野縁固定金具５１を用いた場合や、使用される野縁固定金具５１の板厚が現場毎に異なり、その際、野縁受け３を挟んで取り付けられた野縁受け取付け部５１１同士の対向間隔も異なっていても、当該対向間隔幅に応じて耐震補強金具７、７同士を確りと固定することができる。